(57)【要約】【課題】店舗に備わっているカメラを利用者が自ら操作して写真を撮影するセルフ式の店舗に適用することができる写真システムを提供する。【解決手段】店舗サーバ１は、写真データのうち特定色の領域にクロマキー処理により背景画像を合成する合成部２４と、利用者の操作入力に応じて背景画像を複数のサンプル画像の中から選択する背景選択部２５とを備えている。さらに、店舗サーバ１は、照明設備４を制御する照明制御部１７と、照明設備４の位置と向きと光量と光色との一つ以上を規定する照明パターンをサンプル画像ごとに対応付けたパターンテーブルを予め記憶したパターン記憶部２７とを備えている。照明制御部１７は、背景選択部２５で選択されるサンプル画像に対応する照明パターンに従って、照明設備４の位置と向きと光量と光色との少なくとも一つを調節するように構成されている。【選択図】図１
2014145836.tif 000002
【特許請求の範囲】
【請求項１】
カメラが備わっており利用者が前記カメラを操作して写真を撮影するための撮影ブースを設けた店舗に用いられる写真システムであって、
前記撮影ブースの背景は特定色であって、
前記撮影ブース内を照明するために当該撮影ブースに備わっている照明設備を制御する照明制御部と、
前記カメラで撮影された写真の写真データのうち前記特定色の領域にクロマキー処理により背景画像を合成する合成部と、
前記利用者の操作入力に応じて前記背景画像を複数のサンプル画像の中から選択する背景選択部と、
前記照明設備の位置と向きと光量と光色との一つ以上を規定する照明パターンを前記サンプル画像ごとに対応付けたパターンテーブルを予め記憶したパターン記憶部とを備え、
前記照明制御部は、前記背景選択部で選択される前記サンプル画像に対応する前記照明パターンに従って、前記照明設備の位置と向きと光量と光色との少なくとも一つを調節するように構成されている
ことを特徴とする写真システム。
【請求項２】
前記カメラの位置と向きとを変化させる移動装置を制御するカメラ制御部をさらに備え、
前記カメラ制御部は、前記利用者の操作入力に応じて前記カメラの位置と向きとの少なくとも一方を調節するように構成されている
ことを特徴とする請求項１に記載の写真システム。
【発明の詳細な説明】
【技術分野】
【０００１】
本発明は、写真を撮影するための店舗に用いられる写真システムに関する。
【背景技術】
【０００２】
従来から、写真館のような店舗に用いられる写真システムとして、写真館に配置されたデジタルカメラで撮影された写真の写真データを格納する写真記憶部を備えたシステムが知られている（たとえば特許文献１参照）。
【０００３】
特許文献１に記載の写真システムは、写真記憶部に格納された写真データの画像を写真として写真館に設置されたモニタ装置に表示し、且つ写真館に設置されたセレクタにて所望の写真を選択できるように構成されている。したがって、この種の写真システムを用いれば、写真館の利用者（顧客）は、写真館で撮影された写真の中から写真アルバムに貼付する写真を選択することができる。
【先行技術文献】
【特許文献】
【０００４】
【特許文献１】特開２００８−３５３９８号公報
【発明の概要】
【発明が解決しようとする課題】
【０００５】
ところで、写真館のような店舗をより気軽に利用できるようにするためには、店舗に備わっているカメラを利用者が自ら操作して写真を撮影するセルフ式の店舗とすることが考えられる。
【０００６】
しかし、上述したような従来のシステムは、店舗においては撮影も写真データの管理も業者が行うことを前提としているため、セルフ式の店舗に適用するには問題がある。たとえば、従来のシステムでは、写真を撮影する際には被写体や背景に応じて業者が照明環境を設定するので、被写体や背景に適した照明環境下で写真を撮ることが可能である。これに対して、業者が撮影を行わないセルフ式の店舗においては、利用者が照明環境を設定する必要があるので、照明環境をどう設定すればどのような写真が撮れるかといった専門知識を持たない一般の利用者では、イメージ通りの写真を撮ることは難しい。
【０００７】
本発明は上記事由に鑑みて為されており、店舗に備わっているカメラを利用者が自ら操作して写真を撮影するセルフ式の店舗に適用することができる写真システムを提供することを目的とする。
【課題を解決するための手段】
【０００８】
本発明の写真システムは、カメラが備わっており利用者が前記カメラを操作して写真を撮影するための撮影ブースを設けた店舗に用いられる写真システムであって、前記撮影ブースの背景は特定色であって、前記撮影ブース内を照明するために当該撮影ブースに備わっている照明設備を制御する照明制御部と、前記カメラで撮影された写真の写真データのうち前記特定色の領域にクロマキー処理により背景画像を合成する合成部と、前記利用者の操作入力に応じて前記背景画像を複数のサンプル画像の中から選択する背景選択部と、前記照明設備の位置と向きと光量と光色との一つ以上を規定する照明パターンを前記サンプル画像ごとに対応付けたパターンテーブルを予め記憶したパターン記憶部とを備え、前記照明制御部は、前記背景選択部で選択される前記サンプル画像に対応する前記照明パターンに従って、前記照明設備の位置と向きと光量と光色との少なくとも一つを調節するように構成されていることを特徴とする。
【０００９】
この写真システムにおいて、前記カメラの位置と向きとを変化させる移動装置を制御するカメラ制御部をさらに備え、前記カメラ制御部は、前記利用者の操作入力に応じて前記カメラの位置と向きとの少なくとも一方を調節するように構成されていることが望ましい。
【発明の効果】
【００１０】
本発明の写真システムは、写真データのうち特定色の領域にクロマキー処理により背景画像を合成する合成部と、利用者の操作入力に応じて背景画像を複数のサンプル画像の中から選択する背景選択部とを備えている。さらに、この写真システムは、照明設備を制御する照明制御部と、照明設備の位置と向きと光量と光色との一つ以上を規定する照明パターンをサンプル画像ごとに対応付けたパターンテーブルを予め記憶したパターン記憶部とを備えている。照明制御部は、背景選択部で選択されるサンプル画像に対応する照明パターンに従って、照明設備の位置と向きと光量と光色との少なくとも一つを調節するように構成されている。
【００１１】
この構成によれば、利用者は、合成する背景画像を複数のサンプル画像の中から選択するだけで、そのサンプル画像に合わせて照明設備の位置等が自動的に調節され、最適な照明環境に設定される。たとえば、背景画像として夕方の風景が選択されている場合には、照明制御部は、照明設備の光色を赤味の強い色に調節することで、照明設備からの光に照らされた被写体と背景との整合をとることができる。したがって、撮影ブースに備わっているカメラを利用者が自ら操作して写真を撮影するセルフ式の店舗において、この写真システムを用いれば、専門知識を持たない一般の利用者でも、容易にイメージ通りの写真を撮ることができる。
【図面の簡単な説明】
【００１２】
【図１】実施形態に係る写真システムが用いられる店舗の説明図である。
【図２】実施形態に係る写真システムの構成を示すシステム構成図である。
【発明を実施するための形態】
【００１３】
本実施形態の写真システムは、撮影ブースに備わっているカメラを利用者が自ら操作して写真を撮影するセルフ式の店舗（フォトスタジオ）に用いられる。以下では、撮影ブースが複数設けられている店舗を想定して説明するが、この構成に限らず、写真システムは撮影ブースが１つだけ設けられている店舗に用いられてもよい。
【００１４】
まず、本実施形態の写真システムが用いられる店舗の概略レイアウトについて図２を参照して説明する。
【００１５】
店舗１００には、利用者受付を行うための受付カウンタ１０１と、着替えやヘアメイクのための準備スペース１０２と、撮影用の撮影ブース１０３と、印刷の注文やアルバムの作成に用いられる仕上げスペース１０４とが設けられている。なお、店舗正面には掲示板１０５が設置されており、仕上げスペース１０４は店舗正面の掲示板の裏側のスペースに設けられている。
【００１６】
受付カウンタ１０１は、店舗１００を利用する利用者の受付を行うためのスペースであって、店舗１００の入り口付近に配置されている。詳しくは後述するが、受付カウンタ１０１には、パソコン（パーソナルコンピュータ）やタブレット端末などからなる受付端末２が配置されている。
【００１７】
準備スペース１０２には、利用者の荷物を保管する鍵付きのロッカー１０２Ａと、利用者が衣装合わせや着替えを行うフィッティングルーム１０２Ｂと、利用者がメイクやヘアメイクを行うメイクコーナー１０２Ｃとが備わっている。利用者は、ロッカー１０２Ａに荷物を預けることにより、手ぶらで撮影を行うことができる。なお、フィッティングルーム１０２Ｂやメイクコーナー１０２Ｃには、利用者が自らの姿を映して確認するための鏡（図示せず）や、目隠し用のカーテン（図示せず）が備え付けられている。
【００１８】
撮影ブース１０３は、ここでは背景が造作された固定背景用の撮影ブース１０３Ａが６つ、クロマキー処理用の撮影ブース１０３Ｂが１つ、無背景の個室タイプの撮影ブース１０３Ｃが１つで、合計８つ備わっている。なお、以下では固定背景用の撮影ブース１０３Ａとクロマキー処理用の撮影ブース１０３Ｂと個室タイプの撮影ブース１０３Ｃを特に区別しない場合には、単に「撮影ブース１０３」という。
【００１９】
撮影ブース１０３の各々は、平面視が矩形状となるように、出入口を残して壁あるいはカーテンによって周囲の空間と仕切られており、さらに出入口に関しても開閉可能な扉あるいはカーテンによって周囲の空間と仕切られていてもよい。
【００２０】
図２の例では、固定背景用の撮影ブース１０３Ａは、店舗１００の一枚の壁に沿って複数（ここでは６つ）並べて配置されており、全て店舗１００の上記壁側を背面としている。これら複数の撮影ブース１０３Ａの背後（上記壁側）には、背景が造作されたスクリーン１０３Ｄが設置されている。スクリーン１０３Ｄは、撮影ブース１０３Ａごとに異なっていてもよいし、同じであってもよい。また、スクリーン１０３Ｄを掛け替えることにより背景を変更できるようにしておけば、たとえば時間帯や季節によって背景を変更することも可能である。ただし、撮影ブース１０３Ａの背景は、スクリーン１０３Ｄのように平面的な造作物に限らず、立体的な造作物により構成されていてもよい。
【００２１】
クロマキー処理用の撮影ブース１０３Ｂは、固定背景用の個々の撮影ブース１０３Ａよりも広いスペースが割り当てられている。クロマキー処理用の撮影ブース１０３Ｂは、内側の壁面のうち出入口となる一面を除いた三面および床面が特定色（たとえば青色や緑色）のスクリーン（図示せず）で覆われている。これにより、この撮影ブース１０３Ｂで被写体が撮影された写真は、背景部分が特定色となるので、特定色の部分を任意の背景画像に置き換えるクロマキー合成により、背景画像に被写体が合成された合成写真が得られる。
【００２２】
個室タイプの撮影ブース１０３Ｃは、固定背景用の個々の撮影ブース１０３Ａよりもさらに狭いスペースが割り当てられている。この撮影ブース１０３Ｃは、特に背景が設定されていないので、たとえば照明写真の撮影に使用される。
【００２３】
撮影ブース１０３には、撮像素子で撮影した画像をデジタルデータ（写真データ）として記録するデジタルカメラからなるカメラ３と、照明設備４とが備わっている。カメラ３および照明設備４は、各撮影ブース１０３に１台ずつ備わっているが、この例に限らず、たとえば撮影ブース１０３の各々にそれぞれ複数台のカメラ３が設けられていてもよい。各撮影ブース１０３は固有のブース番号が予め割り当てられており、各撮影ブース１０３に備わるカメラ３および照明設備４には、撮影ブース１０３と同じブース番号が割り当てられている。
【００２４】
撮影ブース１０３の各々は、出入口を残して壁あるいはカーテンによって周囲の空間と仕切られており、さらに出入口に関しても開閉可能な扉あるいはカーテンによって周囲の空間と仕切られていることが望ましい。これにより、撮影ブース１０３へ周囲の空間から光が入射することを防止でき、撮影ブース１０３の照明環境は、各撮影ブース１０３の照明設備４によって適宜設定されることになる。
【００２５】
仕上げスペース１０４には、利用者が写真の印刷の注文や写真の加工などを行うための注文コーナー１０４Ａと、利用者がアルバムの作成を行うためのアルバム作成コーナー１０４Ｂとが備わっている。注文コーナー１０４Ａには、アルバムやポストカードやキーホルダー等のアイテムの見本が置かれている。詳しくは後述するが、注文コーナー１０４Ａにはパソコンやタブレット端末からなる注文端末５が複数台（ここでは６台）配置されている。仕上げスペース１０４においては、利用者が座って作業できるように、机の周囲に適当な数の椅子１０４Ｃが配置されている。
【００２６】
なお、掲示板１０５は、店舗１００の外側に画面を向けたモニタ１０５Ａを備えており、モニタ１０５Ａはたとえば宣伝用の映像などを表示する。
【００２７】
また、店舗１００においては利用者への衣装の貸出サービスが行われる。すなわち、準備スペース１０２に多数の衣装が用意されており、利用者は、撮影を行うに当たり好みの衣装を選択し着用することができる。衣装は、様々なデザインのドレスや着物などが複数のサイズに亘って多数用意されている。これらの衣装は、準備スペース１０２のハンガーラック（図示せず）に吊られている。そのため、利用者は、普段着で店舗１００を訪れても、店舗１００に用意されている多数の衣装の中から好みの衣装を選んで撮影に臨むことができる。
【００２８】
以下に、上述したような店舗１００に用いられる本実施形態の写真システムＡ１の構成について図１を参照して説明する。
【００２９】
写真システムＡ１は、店舗１００ごとにコンピュータからなる店舗サーバ１を備えている。店舗サーバ１は、上述した受付端末２、カメラ３、照明設備４、注文端末５、さらに後述する利用者端末６と共に店舗装置を構成している。これらの店舗装置は、ＬＡＮ（Local Area Network）などの店舗内ネットワークを構築し、互いに通信可能に構成されている。つまり、受付端末２、カメラ３、照明設備４、注文端末５、利用者端末６の各々は店舗サーバ１との通信機能を有している。カメラ３や照明設備４においては、外付けの通信ユニット（図示せず）が接続されることにより、店舗サーバ１との通信機能が付加されていてもよい。
【００３０】
利用者端末６は、たとえばタブレット端末などの可搬型の端末からなり、受付カウンタ１０１で利用者に貸し出される。つまり、利用者端末６は、受付端末２や注文端末５のように定位置で使用されるのではなく、利用者が携帯することで店舗１００内の任意の場所で使用される。
【００３１】
カメラ３や照明設備４は複数の撮影ブース１０３ごとに備わっているので、店舗サーバ１は、各カメラ３、各照明設備４に予め割り当てられているブース番号によって個々のカメラ３あるいは照明設備４を識別する。ここで、店舗装置同士の接続は、基本的にはＬＡＮケーブルを用いた有線ＬＡＮ接続とするが、利用者端末６については利用者が店舗１００内で自由に持ち運べるよう無線ＬＡＮ接続とすることが望ましい。なお、カメラ３と照明設備４と注文端末５と利用者端末６とは、それぞれ１つの店舗１００につき複数台ずつ設けられているが、図１では１台のみ図示し残りの図示を省略する。
【００３２】
カメラ３は、撮影ブース１０３ごとに設けられる専用のリモコン送信器（図示せず）にて遠隔操作が可能に構成されている。リモコン送信器は、利用者が片手で握れる程度に小型であることが望ましく、少なくともシャッタ操作のためのシャッタボタンを具備する。カメラ３は、リモコン送信器のシャッタボタンが操作された直後にシャッタを切るように構成されていてもよいし、シャッタボタンが操作されてから所定の時間遅れをもってシャッタを切るように構成されていてもよい。これにより、利用者は、リモコン送信器を片手で握って操作すれば、自らが被写体となりながらカメラ３のシャッタを切ることができるため、撮影に徹する撮影者が不要になる。リモコン送信器は、店舗内ネットワークには接続されず、たとえば赤外線通信やＢｌｕｅｔｏｏｔｈ（登録商標）等の近距離無線通信により、カメラ３と通信する。
【００３３】
また、各撮影ブース１０３には、液晶ディスプレイからなる表示器３１がカメラ３と並んで設けられている。表示器３１は、カメラ３の被写体となっている利用者から見えるように、画面をカメラ３のレンズと同じ方向に向けて設置されている。カメラ３は、撮像素子からの出力をライブビュー画像として表示器３１にリアルタイムで出力し、表示器３１にてライブビュー画像を表示させる機能を持つ。つまり、カメラ３は、表示器３１には動画像からなるライブビュー画像を出力しており、シャッタが操作されると、その瞬間の写真（静止画像）の写真データを後述する店舗サーバ１に出力する。そのため、利用者は、表示器３１に表示されているライブビュー画像を確認することで、カメラ３の被写体となりながら写真にどのように写るのかを確認することができる。
【００３４】
さらに、本実施形態の写真システムＡ１は、撮影ブース１０３に備わっているカメラ３の位置と向きとを変化させる移動装置３２を、撮影ブース１０３ごとに備えている。移動装置３２は、カメラ３を鉛直方向（上下）、水平方向（前後左右）に移動させる三軸のスライド機構と、カメラ３をパン、チルトさせる二軸の首振り機構とを具備している。スライド機構は、複数のレールを組み合わせて実現されていてもよいし、ロボットアームを用いて実現されていてもよい。写真システムＡ１は、このような移動装置３２を設けたことにより、人がカメラ３を持って撮影する場合には困難な高所からでも撮影可能になる。この移動装置３２は、後述する店舗サーバ１のカメラ制御部１８によって制御され、カメラ３の位置と向きとの少なくとも一方を調節する。
【００３５】
なお、移動装置３２を制御するカメラ制御部の機能は、上述したリモコン送信器に備わっていてもよい。この場合、リモコン送信器は、上述したような近距離無線通信により、移動装置３２と通信する。これにより、利用者は、リモコン送信器を操作することでカメラ３の位置、向きを調節することができる。
【００３６】
照明設備４は、位置と向きと光量と光色との少なくとも一つが可変に構成されている。少なくともクロマキー処理用の撮影ブース１０３Ｂの照明設備４は、位置および向きを変化させる可動機構と、光量および光色を変化させる点灯回路とを有しており、これにより位置と向きと光量と光色との全てが可変に構成されている。可動機構は照明設備４の灯体を機械的に移動させることで照明設備４の位置を変化させるが、多灯式の照明設備４であれば、可動機構に代えて、点灯させる灯体を点灯回路にて切り替えることで位置を変化させることができる。照明設備４は、後述する店舗サーバ１の照明制御部１７によって制御され、位置と向きと光量と光色との少なくとも一つが調節される。
【００３７】
また、店舗内ネットワークには、ゲートウェイ７が接続されている。ゲートウェイ７は、インタネット８に接続されている。インタネット８には、集約装置としてのセンタサーバ９１と、写真の印刷等を行う印刷所に設置されている印刷所サーバ９２とが接続されている。店舗サーバ１は、インタネット８を介してこれらセンタサーバ９１および印刷所サーバ９２との間で通信可能に構成されている。ここで、店舗サーバ１とセンタサーバ９１と印刷所サーバ９２との間には、インタネット８を利用したＶＰＮ（Virtual Private Network）が構築されていることが望ましい。また、ＶＰＮに代えて専用線が用いられてもよい。なお、図１では１つの店舗１００しか図示してないが、実際には店舗１００は複数存在し、店舗サーバ１等は各店舗１００に設けられている。したがって、センタサーバ９１および印刷所サーバ９２の各々には、インタネット８を介して複数の店舗１００の店舗サーバ１が接続されることになる。
【００３８】
本実施形態では、カメラ３および照明設備４を除く店舗装置の機能を店舗サーバ１に集中させ、受付端末２、注文端末５、利用者端末６については、操作入力や表示などのユーザインタフェイスとしての機能に絞ったシンクライアントとして用いられている。
【００３９】
ここでは、受付端末２と注文端末５と利用者端末６とは、いずれもタッチパネルディスプレイを採用しており、入力装置および表示装置として機能する。さらに、受付端末２および利用者端末６は、必要に応じてプリンタを接続するためのインタフェイスを備えていてもよい。一方、店舗サーバ１においては、利用者の操作入力を受け付けるための入力装置や、情報を表示するための表示装置などは必須ではない。ただし、店舗管理者によるメンテナンスなどを考慮すれば、店舗サーバ１にも入力装置や表示装置が設けられていることが望ましい。
【００４０】
店舗サーバ１は、基本的な機能として、店舗内ネットワークに接続される通信インタフェイス（以下、「通信Ｉ／Ｆ」と表記する）１１と、現在時刻を計時する時計部１２とを有している。また、店舗サーバ１は、利用者の受け付けから撮影ブース１０３の割り当てまでの処理に関する構成として、受付部１３と、割当部１４と、提示部１５と、割当記憶部１６とを有している。また、店舗サーバ１は、撮影ブース１０３での撮影時の処理に関する構成として、照明制御部１７と、カメラ制御部１８と、スタイル記憶部２８と、スタイル選択部２９とを有している。さらに、店舗サーバ１は、撮影された写真の取り込みから出力までの処理に関する構成として、取込部１９と、写真記憶部２０と、再生部２１と、選択部２２と、出力部２３とを有している。また、店舗サーバ１は、クロマキー処理に関する構成として、合成部２４と、背景選択部２５と、背景記憶部２６と、パターン記憶部２７とを有している。
【００４１】
本実施形態では、店舗サーバ１はコンピュータからなるため、記憶装置（図示せず）に記憶されたプログラムを適宜実行することにより、各部の機能を実現する。なお、プログラムが記憶媒体に記憶されている場合には、コンピュータは、記憶媒体からプログラムをコピーすることにより、店舗サーバ１として動作可能となる。
【００４２】
以下、店舗サーバ１の各部の構成および機能について説明する。
【００４３】
まず、利用者の受け付けから撮影ブース１０３の割り当てまでの処理に関する受付部１３、割当部１４、提示部１５、割当記憶部１６について説明する。
【００４４】
受付部１３は、キーボード、マウス、タッチパネルディスプレイ、カードリーダ等の入力装置から利用者を識別する利用者データの入力を受け付ける機能を持つ。本実施形態では、タッチパネルディスプレイを採用した受付端末２が入力装置として用いられ、受付部１３は、通信Ｉ／Ｆ１１を介して受付端末２から利用者データの入力を受け付ける。
【００４５】
本実施形態では、写真システムＡ１を初めて利用する利用者が、受付端末２にて住所、氏名、電話番号等の利用者情報を入力することで会員登録を行い、会員登録の完了時にパスワードと共に発行される利用者ＩＤが利用者データとして用いられる。具体的には、受付端末２は、会員登録時に入力された住所、氏名、電話番号等の利用者情報を店舗サーバ１の受付部１３に送信する。受付部１３は、受付端末２から受信した利用者情報を通信Ｉ／Ｆ１１を介してセンタサーバ９１に送信し、利用者ＩＤの発行を要求する。センタサーバ９１は、利用者情報に対応付けて利用者ＩＤおよびパスワードを発行し、要求元の店舗サーバ１に送信する。発行された利用者ＩＤおよびパスワードは、センタサーバ９１にて利用者情報と対応付けて管理される。
【００４６】
そのため、会員登録が完了した利用者は、写真システムＡ１を利用する場合、利用者データとしての利用者ＩＤを受付端末２にてパスワードと併せて入力すればよい。受付端末２は、入力された利用者ＩＤおよびパスワードを店舗サーバ１の受付部１３に送信する。受付部１３は、受付端末２から受信した利用者ＩＤおよびパスワードをセンタサーバ９１に送信し、センタサーバ９１は、利用者ＩＤの認証に成功すれば、この利用者ＩＤの利用者に対して写真システムＡ１の利用を許可する。なお、利用者ＩＤの発行はたとえば利用者ＩＤの付与された会員カードの発行をもって行われてもよく、この場合、受付端末２は会員カードの利用者ＩＤを読み込むためのカードリーダを具備していてもよい。
【００４７】
ここで、利用者データは利用者一人一人について入力されることは必須ではなく、たとえば家族や友人同士など複数人のグループで店舗１００を利用する利用者は、グループの代表者の情報のみを利用者データとして入力してもよい。このように、利用者の受付は入力装置としての受付端末２を使用して利用者自ら行う。なお、受付端末２は、パソコンやタブレット端末のような汎用の装置に限らず、専用の装置であってもよい。
【００４８】
一方、割当部１４は、受付部１３で入力された利用者データ（利用者ＩＤ）に撮影ブース１０３を割り当てる機能を持つ。本実施形態では撮影ブース１０３が複数ある場合を想定しているので、割当部１４は、１つの利用者データに対して複数の撮影ブース１０３のうち少なくとも１つの撮影ブース１０３を割り当てるように機能する。
【００４９】
つまり、割当部１４は、利用者データと撮影ブース１０３とが一対一あるいは一対多となるように、割当ブース１０３の割り当てを行う。１つの利用者データに対し１つの撮影ブース１０３が割り当てられた場合、複数の撮影ブース１０３を複数の利用者データで同時に使用できる。一方、店舗１００内の全ての撮影ブース１０３が同一の利用者データに割り当てられた場合には、全ての撮影ブース１０３は一利用者の貸し切りとなる。
【００５０】
ここで、割当部１４は、時計部１２で計時される所定時間単位で撮影ブース１０３を割り当てるように構成されている。つまり、割当部１４は、利用者データに対して撮影ブース１０３を割り当てる際、所定時間を単位とする時間制限を設けて撮影ブース１０３の割り当てを行う。ここでいう所定時間は利用者に撮影ブース１０３を割り当てる最小単位となる時間（たとえば１０分、１５分、３０分など）であって、予め設定されている。
【００５１】
受付端末２は、利用者データの入力受付時に、所定時間を単位として利用予定時間の入力を受け付け、割当部１４は、撮影ブース１０３の割当時に、利用予定時間を反映した制限時間を設定する。たとえば、１０分単位で利用時間を設定できる場合に、１５：００に来店した利用者が利用予定時間を「３０分」と指定すれば、割当部１４は、この利用者に対して１５：００（利用開始時刻）から１５：３０（利用終了時刻）まで、撮影ブース１０３を割り当てる。
【００５２】
また、提示部１５は、割当部１４にて割り当てた内容、つまりどの撮影ブース１０３をいつまで割り当てたのかを利用者に提示する。具体的には、提示部１５は、割り当てられた撮影ブース１０３のブース番号と、利用開始時刻および利用終了時刻とを、利用者データ（利用者ＩＤ）と共に提示情報として受付端末２に送信する。受付端末２は、これらの提示情報をディスプレイに表示することによって利用者に提示してもよいし、たとえばプリンタにて紙に印刷することによって利用者に提示してもよい。
【００５３】
割当記憶部１６は、撮影ブース１０３ごとの利用者データとの対応関係を表す稼働テーブルを格納している。ここでは、割当部１４は、利用者データに撮影ブース１０３を割り当てる度に、この撮影ブース１０３のブース番号に対応付けて、利用者データ（利用者ＩＤ）および利用開始時刻並びに利用終了時刻を、割当記憶部１６内の稼働テーブルに書き込む。したがって、店舗サーバ１は、店舗１００内の全ての撮影ブース１０３についての稼働状況、つまりどの撮影ブース１０３がどの利用者に割り当てられていて、どの撮影ブース１０３が空いているのかを、稼働テーブル上で一元管理できる。
【００５４】
なお、割当部１４は、全ての撮影ブース１０３がいずれかの利用者データに割り当てられている場合には、受付部１３が新たな利用者データの入力を受け付けても、すぐには、新たな利用者データに対して撮影ブース１０３を割り当てることができない。この場合、割当部１４は、稼働テーブルで利用終了時刻を確認し、利用終了時刻以降に撮影ブース１０３が割り当てられるよう、利用者データに対応付けて撮影ブース１０３の予約を行う。このように割当部１４が撮影ブース１０３の予約を行った場合でも、提示部１５は、ブース番号と、利用開始時刻および利用終了時刻とを、利用者データ（利用者ＩＤ）と共に提示情報として受付端末２に送信する。
【００５５】
次に、撮影ブース１０３での撮影時の処理に関する照明制御部１７、カメラ制御部１８、スタイル記憶部２８、スタイル選択部２９について説明する。
【００５６】
照明制御部１７は、撮影ブース１０３内を照明するために撮影ブース１０３に備わっている照明設備４を制御する機能を有している。この照明制御部１７は、通信Ｉ／Ｆ１１を介して照明設備４に制御信号を送信することにより、撮影ブース１０３ごとに、照明設備４の位置と向きと光量と光色との少なくとも一つを調節するように構成されている。
【００５７】
ここで、照明制御部１７は、基本的には利用者の操作入力に応じて、照明設備４の位置と向きと光量と光色との少なくとも一つを調節する。本実施形態では、タッチパネルディスプレイを採用した利用者端末６が入力装置として用いられ、照明制御部１７は、利用者端末６に対する利用者の操作入力の内容を通信Ｉ／Ｆ１１を介して利用者端末６から受信する。
【００５８】
具体的には、利用者端末６は、メニュー画面から「照明制御」の項目が選択されると、制御対象とする照明設備４のブース番号、並びに照明設備４の位置と向きと光量と光色との少なくとも一つを指定するための照明制御画面を表示する。さらに、利用者端末６は、照明制御画面で利用者が指定した位置、向き、光量、光色を特定するための情報を、利用者による操作入力の内容として店舗サーバ１の照明制御部１７に送信する。これにより、利用者は、利用者端末６を操作することで、撮影ブース１０３の照明設備４を制御し、任意の照明環境を実現することができる。
【００５９】
カメラ制御部１８は、カメラ３の位置と向きとを変化させる移動装置３２を制御する機能を有している。このカメラ制御部１８は、通信Ｉ／Ｆ１１を介して移動装置３２に制御信号を送信することにより、撮影ブース１０３ごとに、カメラ３の位置と向きとの少なくとも一方を調節するように構成されている。
【００６０】
ここで、カメラ制御部１８は、基本的には利用者の操作入力に応じて、カメラ３の位置と向きの少なくとも一方を調節する。本実施形態では、タッチパネルディスプレイを採用した利用者端末６が入力装置として用いられ、カメラ制御部１８は、利用者端末６に対する利用者の操作入力の内容を通信Ｉ／Ｆ１１を介して利用者端末６から受信する。
【００６１】
具体的には、利用者端末６は、メニュー画面から「カメラ制御」の項目が選択されると、位置等の制御対象とするカメラ３のブース番号、並びにカメラ３の位置と向きとの少なくとも一方を指定するためのカメラ制御画面を表示する。さらに、利用者端末６は、カメラ制御画面で利用者が指定した位置、向きを特定するための情報を、利用者による操作入力の内容として店舗サーバ１のカメラ制御部１８に送信する。これにより、利用者は、利用者端末６を操作することで、撮影ブース１０３の移動装置３２を制御し、任意のカメラアングルを実現することができる。
【００６２】
また、カメラ制御部１８は、カメラ３自体を遠隔操作することで、カメラ３のシャッタを切ったり、ズームを設定したり、タイマーや連写の有無を設定したり、シャッタスピードや絞り値などの撮影条件を設定したりする機能を有していてもよい。この場合、カメラ制御部１８は、入力装置である利用者端末６に対する利用者の操作入力に応じて、通信Ｉ／Ｆ１１を介してカメラ３に制御信号を送信し、制御信号によってカメラ３を遠隔操作する。
【００６３】
具体的には、利用者端末６は、メニュー画面から「カメラ操作」の項目が選択されると、操作対象とするカメラ３のブース番号を指定し、且つカメラ３の遠隔操作を行うためのカメラ操作画面を表示する。カメラ操作画面は、シャッタ操作のためのシャッタボタンの他、ズーム操作のためのズームボタン、タイマーや連写の有無を設定するための操作ボタン、撮影条件を設定するための操作ボタンを含んでいる。さらに、利用者端末６は、カメラ操作画面で利用者が行った操作内容を特定するための情報を、利用者による操作入力の内容として店舗サーバ１のカメラ制御部１８に送信する。これにより、利用者は、利用者端末６を操作することで、上述したようなリモコン送信器を用いなくても撮影ブース１０３のカメラ３を遠隔操作することができる。
【００６４】
また、照明設備４の位置と向きと光量と光色との一つ以上を規定する照明パターンと、カメラ３の位置および向きと撮影条件との少なくとも一方を規定するカメラパターンとを組み合わせた撮影スタイルが、スタイル記憶部２８に複数記憶されている。また、スタイル選択部２９は、利用者の操作入力に応じて撮影スタイルをスタイル記憶部２８に記憶された複数の撮影スタイルの中から選択する機能を有する。本実施形態では、タッチパネルディスプレイを採用した利用者端末６が入力装置として用いられ、スタイル選択部２９は、利用者端末６に対する利用者の操作入力の内容を通信Ｉ／Ｆ１１を介して利用者端末６から受信する。ここで、スタイル記憶部２８は、撮影スタイルごとに撮影可能な見本写真を記憶しており、利用者端末６は、撮影スタイルの選択時に見本写真を表示する。
【００６５】
これにより、たとえば利用者端末６にて任意の撮影スタイルが選択されると、照明制御部１７は、選択された撮影スタイルの照明パターンに従って、照明設備４の位置と向きと光量と光色との少なくとも一つを調節する。このとき、カメラ制御部１８は、選択された撮影スタイルのカメラパターンに従って、カメラ３の位置および向きと撮影条件との少なくとも一方を調節する。このように、照明パターンとカメラパターンとの組み合わせが撮影スタイルとして予め複数設定されていることにより、利用者は、撮影スタイルを選択するだけで、様々な組み合わせの照明パターンとカメラパターンとを用いて写真を撮影できる。また、スタイル記憶部２８に記憶されるカメラパターンは、シャッタスピードや絞り値などの撮影条件を含んでいてもよく、この場合、カメラ制御部１８は、選択された撮影スタイルのカメラパターンに従って、カメラ３を遠隔操作する。
【００６６】
なお、利用者データに対して撮影ブース１０３が一対一に割り当てられている場合、利用者は、利用者端末６に利用者データ（利用者ＩＤ）を入力することで、制御対象となる照明設備４あるいはカメラ３のブース番号の特定が不要になる。つまり、照明制御部１７およびカメラ制御部１８は、割当記憶部１６の稼働テーブルを参照することで、利用者端末６で入力された利用者データに対応付けられている撮影ブース１０３のブース番号を特定することができる。
【００６７】
また、利用者端末６は、上述した照明制御画面、カメラ制御画面、カメラ操作画面において、カメラ３からライブビュー画像を受信し、リアルタイムで表示する構成であってもよい。これにより、利用者は、利用者端末６に表示されているライブビュー画像を確認することで、写真にどのように写るのかを確認しながら照明設備４や移動装置３２の制御、並びにカメラ３の遠隔操作を行うことが可能である。
【００６８】
次に、撮影された写真の取り込みから出力までの処理に関する取込部１９、写真記憶部２０、再生部２１、選択部２２、出力部２３について説明する。
【００６９】
取込部１９は、カメラ３で撮影された写真の写真データを、通信Ｉ／Ｆ１１を介してカメラ３から取り込み、写真記憶部２０に記憶する。ここでは、取込部１９は、カメラ３で写真が撮影される（シャッタが切られる）度に、撮影された写真の写真データを、撮影日時やカメラ３のブース番号、シャッタスピードや絞り値などの撮影条件に関する付加情報と共にカメラ３から取り込む。さらに、取込部１９は、割当記憶部１６の稼働テーブルを参照し、付加情報に含まれているブース番号が現在時刻において割り当てられている利用者データ（利用者ＩＤ）を特定し、この利用者データに対応付けて写真データを写真記憶部２０に記憶する。
【００７０】
このようにして、写真記憶部２０は、撮影ブース１０３のカメラ３で撮影された写真の写真データを、この撮影ブース１０３が割り当てられている利用者データに対応付けて記憶する。さらに、写真記憶部２０は、取込部１９にて写真データと共に取り込んだ付加情報についても、写真データと対応付けて記憶する。ここで、店舗サーバ１は、予め決められている保存期間（たとえば当日、１週間、１ヶ月など）の写真データを写真記憶部２０に保存する。保存期間が当日であれば、店舗サーバ１は、当日中に撮影された写真の写真データを写真記憶部２０に保存し、毎日、営業開始時刻になると前日以前に撮影された写真の写真データを付加情報と共に写真記憶部２０から消去する。
【００７１】
再生部２１は、写真記憶部２０に記憶された写真を利用者データごとにディスプレイ、プロジェクタ等の表示装置に表示させる機能を持つ。本実施形態では、タッチパネルディスプレイを採用した注文端末５が表示装置として用いられ、再生部２１は、通信Ｉ／Ｆ１１を介して注文端末５に写真データを送信する。具体的には、注文端末５は、利用者データ（利用者ＩＤ）が入力されると、この利用者データを店舗サーバ１に送信し、写真データを要求する。店舗サーバ１は、注文端末５から利用者データを受信すると、再生部２１にてこの利用者データに対応付けられている写真の写真データを写真記憶部２０から読み出し、要求元の注文端末５に送信する。
【００７２】
これにより、注文端末５は、写真記憶部２０に記憶されている写真のうち入力された利用者データに対応する写真を表示する。したがって、利用者は、撮影ブース１０３のカメラ３で撮影した写真を注文端末５にて閲覧することができ、写真の写り具合等を確認できる。このとき、注文端末５は、写真を１枚ずつ表示してもよいし、複数枚の写真のサムネイル画像を一覧表示してもよい。なお、注文端末５は、パソコンやタブレット端末のような汎用の装置に限らず、専用の装置であってもよい。
【００７３】
選択部２２は、再生部２１により表示装置としての注文端末５に表示された写真の中から出力対象とする写真を、利用者の操作入力に応じて選択する機能を持つ。本実施形態では、タッチパネルディスプレイを採用した注文端末５が入力装置としても用いられ、選択部２２は、注文端末５に対する利用者の操作入力の内容を通信Ｉ／Ｆ１１を介して注文端末５から受信する。
【００７４】
具体的には、注文端末５は、再生部２１により写真を表示する際、各写真に一対一に対応するチェックボックスを表示し、写真が１回タッチされるとチェックボックスにチェックを入れ、再度タッチされるとチェックボックスのチェックを外すように動作する。チェックボックスにチェックが入っている写真が出力対象として選択される写真であって、注文端末５は、チェックの入った写真を特定するための情報（たとえばファイル名など）を、利用者による操作入力の内容として店舗サーバ１の選択部２２に送信する。これにより、利用者は、注文端末５に表示される写真を見ながら、出力対象とする写真を選択することができる。
【００７５】
ここにおいて、本実施形態に係る写真システムＡ１は、写真の出力方法として、印刷所において印刷する他、店舗１００において写真データを記憶媒体に出力する等、様々な方法に対応している。また、印刷所で印刷する場合でも、印刷枚数や用紙サイズ等の印刷条件が選択可能であったり、アルバムやポストカードやキーホルダー等のアイテムが選択可能であったりと、様々な印刷方法に対応している。そこで、選択部２２は、出力対象の写真の選択だけでなく、その出力方法や印刷方法を指定する注文処理についても、入力装置としての注文端末５に対する利用者の操作入力に応じて行うように構成されている。
【００７６】
具体的には、注文端末５は、出力対象とする写真の選択が終わると、選択された写真ごとに出力方法や印刷方法を選択するための注文フォームを表示するよう動作する。注文フォームにおいては、注文端末５は、写真ごとにラジオボタンや選択メニューを表示し、これらラジオボタンや選択メニューに対する利用者の操作入力の内容を、各写真の出力方法や印刷方法を指定する注文データとして店舗サーバ１の選択部２２に送信する。選択部２２は、このようにして選択された出力対象の写真の写真データおよびこれに対応する利用者データを写真記憶部２０から読み出して出力部２３に出力し、且つ各写真の注文データを出力部２３に出力する。
【００７７】
さらに、店舗サーバ１は、選択部２２で選択された写真について、注文端末５に対する利用者の操作入力に応じて明るさやコントラストの調整、トリミング等の加工を行う機能を有していてもよい。この場合、出力部２３に出力される写真は加工後の写真となる。ただし、店舗サーバ１は、写真記憶部２０には加工前の写真と加工後の写真との両方を記憶してもよい。
【００７８】
出力部２３は、選択部２２から写真データと注文データとを受けると、注文データの内容に従って写真データの出力を行う。すなわち、出力部２３は、印刷所において写真を印刷する場合、通信Ｉ／Ｆ１１を介して印刷所サーバ９２に写真データおよび注文データを送信し、店舗１００において写真データを記憶媒体に出力する場合、記憶媒体への写真データの書き込みを行う。
【００７９】
ここで、出力部２３は、印刷所サーバ９２に写真データを送信する際には、この写真データに対応する利用者データも併せて送信する。センタサーバ９１は、利用者データを、会員登録時に入力された住所、氏名、電話番号等の利用者情報と対応付けて管理しているので、印刷所サーバ９２は、センタサーバ９１にアクセスすることにより、受信した利用者データに対応する利用者情報を特定できる。
【００８０】
本実施形態の写真システムＡ１は、印刷所に設けられ印刷所サーバ９２に接続された印刷装置９３をさらに備えている。印刷装置９３は、印刷所サーバ９２が受信した注文データの内容に従って、選択部２２で選択された出力対象の写真を印刷する。
【００８１】
本実施形態の写真システムＡ１は、撮影ブース１０３の利用時間によって決まる撮影料と、商品の購入総額によって決まる商品代との合計金額を利用者に課金する。そこで、店舗サーバ１は、撮影ブース１０３の利用時間と単価との積から撮影料を算出し、さらに注文データから商品代を算出し、これら撮影料と商品代との合計金額を請求金額として注文端末５に表示させる。ここでいう単価は、割当部１４が撮影ブース１０３を割り当てる際の最小単位となる所定時間当たりの利用料であって、撮影ブース１０３によって異なっていてもよいし同じであってもよい。
【００８２】
次に、クロマキー処理に関する合成部２４、背景選択部２５、背景記憶部２６、パターン記憶部２７について説明する。
【００８３】
合成部２４は、クロマキー処理用の撮影ブース１０３Ｂのカメラ３で撮影された写真の写真データのうち、特定色の領域にクロマキー処理により背景画像を合成する。つまり、クロマキー処理用の撮影ブース１０３Ｂで撮影された写真は、背景部分が特定色となるので、合成部２４は、特定色の部分を任意の背景画像に置き換えるクロマキー合成により、背景画像に被写体が合成された合成写真を生成する。ここでは、合成部２４は、写真記憶部２０から読み出した写真データについてクロマキー合成を行い、生成した合成写真を写真記憶部２０に記憶する。ただし、店舗サーバ１は、写真記憶部２０に合成前の写真と合成写真との両方を記憶してもよい。
【００８４】
また、合成部２４は、カメラ３から送信されるライブビュー画像についてリアルタイムでクロマキー合成を行い、合成写真を表示器３１に送信する機能を有する。これにより、表示器３１は、特定色の背景部分が背景画像に置き換えられたライブビュー画像をリアルタイムで表示できる。したがって、利用者は、表示器３１に表示されているライブビュー画像を確認することで、背景に合わせた位置決め、ポージングが可能になる。
【００８５】
背景選択部２５は、利用者の操作入力に応じて背景画像を複数のサンプル画像の中から選択する機能を有する。背景画像の候補となるサンプル画像は、背景記憶部２６に予め複数記憶されている。背景記憶部２６は、サンプル画像として、たとえば観光地や映画のワンシーン、人物、動物、ゲームやアニメのキャラクターなどの画像を記憶している。
【００８６】
本実施形態では、タッチパネルディスプレイを採用した利用者端末６が入力装置として用いられ、背景選択部２５は、利用者端末６に対する利用者の操作入力の内容を通信Ｉ／Ｆ１１を介して利用者端末６から受信する。具体的には、利用者端末６は、メニュー画面から「背景選択」の項目が選択されると、背景記憶部２６に記憶されているサンプル画像を読み出して背景選択画面として表示する。さらに、利用者端末６は、背景選択画面で利用者が選択したサンプル画像を特定するための情報（たとえばファイル名など）を、利用者による操作入力の内容として店舗サーバ１の背景選択部２５に送信する。これにより、利用者は、クロマキー処理用の撮影ブース１０３Ｂでの撮影時に、利用者端末６に表示されるサンプル画像を見ながら、背景画像として用いるサンプル画像を選択することができる。
【００８７】
さらに、本実施形態の写真システムＡ１は、背景選択部２５で選択された背景に応じて撮影ブース１０３Ｂの照明環境が自動的に設定されるように、以下に説明する構成を採用している。
【００８８】
すなわち、パターン記憶部２７は、クロマキー処理用の撮影ブース１０３Ｂの照明設備４の位置と向きと光量と光色との一つ以上を規定する照明パターンを、サンプル画像ごとに対応付けたパターンテーブルを予め記憶している。ここで、パターンテーブルは、サンプル画像ごとに、このサンプル画像を背景とする場合に最適な照明環境を実現するための照明パターンを対応付けたテーブルである。
【００８９】
照明制御部１７は、背景選択部２５で選択されるサンプル画像にパターン記憶部２７にて対応付けられている照明パターンに従って、クロマキー処理用の撮影ブース１０３Ｂの照明設備４の位置と向きと光量と光色との少なくとも一つを調節する。本実施形態では、照明パターンは、照明設備４の位置と向きと光量と光色との全てを規定するデータであるため、照明制御部１７は、照明パターンに従って照明設備４の位置と向きと光量と光色との全てを調節する。
【００９０】
さらにまた、パターン記憶部２７は、カメラ３の位置および向きと、シャッタスピードや絞り値などの撮影条件との少なくとも一方を規定するカメラパターンについても、サンプル画像ごとに対応付けてパターンテーブルとして記憶していてもよい。この場合、カメラ制御部１８は、背景選択部２５で選択されるサンプル画像にパターン記憶部２７にて対応付けられているカメラパターンに従って、クロマキー処理用の撮影ブース１０３Ｂのカメラ３の位置および向きと、撮影条件との少なくとも一方を調節する。なお、パターンテーブルでは、照明パターンとカメラパターンとの両方がサンプル画像に対応付けられていてもよいし、いずれか一方のみがサンプル画像に対応付けられていてもよい。
【００９１】
ところで、センタサーバ９１は、写真データを店舗サーバ１から取得する取得部９１１と、写真データを記憶する記憶装置９１２とを有している。
【００９２】
取得部９１１は、選択部２２で出力対象として選択された写真の写真データを、この写真データに対応する利用者データと併せて店舗サーバ１から取得する。本実施形態では、出力部２３は、選択部２２から写真データおよび注文データを受けたときに、通信Ｉ／Ｆ１１を介して写真データを対応する利用者データと共にセンタサーバ９１に送信するように構成されている。そのため、センタサーバ９１は、アップロードされた写真データおよび利用者データを取得部９１１で随時取得することができる。なお、取得部９１１は、写真データおよび利用者データを店舗サーバ１から定期的に取得してもよい。
【００９３】
記憶装置９１２は、所定期間に複数の店舗サーバ１から取得部９１１にて取得した写真データを利用者データごとに記憶する。つまり、センタサーバ９１は、複数の店舗１００の店舗サーバ１と通信可能に構成されているので、複数の店舗１００で撮影された写真の写真データを一元管理することができる。ここで、記憶装置９１２に写真データが保存される期間（所定期間）は、店舗サーバ１の写真記憶部２０の保存期間に比べて十分に長く設定されていることが望ましく、たとえば１年６ヶ月に設定される。
【００９４】
また、センタサーバ９１は、店舗サーバ１から利用者データを含む要求信号を受信すると、記憶装置９１２に記憶されている写真データのうち、要求信号に含まれている利用者データに対応する写真データを店舗サーバ１に送信するように構成されている。すなわち、店舗サーバ１は、たとえば利用者端末６で利用者データ（利用者ＩＤ）が入力されると、この利用者データを含む要求信号を通信Ｉ／Ｆ１１を介してセンタサーバ９１に送信し、この利用者データに対応する写真データを要求する。店舗サーバ１は、センタサーバ９１から写真データを受信すると、利用者データが入力された利用者端末６にこの写真データを表示させる。
【００９５】
以上説明した本実施形態の写真システムＡ１によれば、下記（１）〜（９）に示すような効果がある。
【００９６】
（１）この写真システムＡ１は、入力装置から利用者を識別する利用者データの入力を受け付ける受付部１３と、受付部１３で入力された利用者データに撮影ブース１０３を割り当てる割当部１４とを備えている。さらに、写真システムＡ１は、撮影ブース１０３のカメラ３で撮影された写真の写真データを当該撮影ブース１０３が割り当てられている利用者データに対応付けて記憶する写真記憶部２０を備えている。
【００９７】
この構成によれば、利用者データが入力されると、利用者データに撮影ブース１０３が自動的に割り当てられ、この撮影ブース１０３のカメラ３で撮影された写真が自動的に利用者データに対応付けられて写真記憶部２０に記憶される。したがって、撮影ブース１０３に備わっているカメラ３を利用者が自ら操作して写真を撮影するセルフ式の店舗１００でありながらも、利用者に撮影ブースが自動的に割り当てられ、利用者と、この利用者が撮影した写真とを確実に対応付けることができる。
【００９８】
さらに、写真システムＡ１は、写真記憶部２０に記憶された写真を利用者データごとに表示装置に表示させる再生部２１と、表示装置に表示された写真の中から出力対象とする写真を利用者の操作入力に応じて選択する選択部２２とを備えている。そのため、利用者は、自身の撮影した写真のみを表示装置に表示させて確認し、その中から気に入った写真のみを出力対象として選択することが可能である。
【００９９】
（２）この写真システムＡ１は、選択部２２は店舗１００ごとに設置されている店舗装置（本実施形態では店舗サーバ１）に設けられており、複数の店舗１００の店舗装置と通信可能なセンタサーバ９１をさらに備えている。センタサーバ９は、選択部２２で選択された写真の写真データを対応する利用者データと併せて店舗装置から取得する取得部９１１と、所定期間に複数の店舗装置から取得部９１１にて取得した写真データを利用者データごとに記憶する記憶装置９１２とを有している。
【０１００】
これにより、この写真システムＡ１を利用して撮影され、且つ選択部２２で選択された写真は、センタサーバ９にて利用者データごとに一元管理される。そのため、利用者から写真の焼き増しなどの要望があった場合に、店舗１００には既に写真データが残っていなくても、センタサーバ９に保存されている写真データを用いて写真の焼き増しなどが可能になる。
【０１０１】
（３）この写真システムＡ１は、センタサーバ９１が、店舗装置から利用者データを含む要求信号を受信すると、記憶装置９１２に記憶されている写真データのうち当該利用者データに対応する写真データを当該店舗装置に送信するように構成されている。
【０１０２】
この構成によれば、利用者は、店舗１００の異同にかかわらず、センタサーバ９１の記憶装置９１２に写真データが保存される期間内に、本実施形態の写真システムＡ１を利用していれば、過去に撮影した写真を店舗装置で確認することができる。そのため、利用者は、たとえば家族写真や成長記録用の写真などを、前回撮影したときと同じ構図で撮影したい場合などに、センタサーバ９１の記憶装置９１２に保存されている写真を店舗装置にて確認することができる。
【０１０３】
（４）この写真システムＡ１は、選択部２２で選択された出力対象の写真を印刷する印刷装置９３を備えるので、撮影された写真を、写真データだけでなく印刷された写真として利用者に提供することができる。また、本実施形態のように印刷装置９３が印刷所に設置されている場合には、印刷装置９３として高性能の装置を導入することができ、高品質な写真を提供できるという利点がある。
【０１０４】
（５）この写真システムＡ１は、写真データのうち特定色の領域にクロマキー処理により背景画像を合成する合成部２４と、利用者の操作入力に応じて背景画像を複数のサンプル画像の中から選択する背景選択部２５とを備えている。さらに、写真システムＡ１は、照明設備４を制御する照明制御部１７と、照明設備４の位置と向きと光量と光色との一つ以上を規定する照明パターンをサンプル画像ごとに対応付けたパターンテーブルを予め記憶したパターン記憶部２７とを備えている。照明制御部１７は、背景選択部２５で選択されるサンプル画像に対応する照明パターンに従って、照明設備４の位置と向きと光量と光色との少なくとも一つを調節するように構成されている。
【０１０５】
この構成によれば、クロマキー処理用の撮影ブース１０３Ｂでの撮影時、利用者は、合成する背景画像を複数のサンプル画像の中から選択するだけで、そのサンプル画像に合わせて照明設備４の位置等が自動的に調節され、最適な照明環境に設定される。たとえば、背景画像として夕方の風景が選択されている場合には、照明制御部１７は、照明設備４の光色を赤味の強い色に調節することで、照明設備４からの光に照らされた被写体と背景との整合をとることができる。
【０１０６】
（６）この写真システムＡ１は、照明制御部１７が、利用者の操作入力に応じて照明設備４の位置と向きと光量と光色との少なくとも一つを調節するように構成されているので、利用者の好みの照明環境に設定することができる。
【０１０７】
（７）この写真システムＡ１は、カメラ３の位置と向きとを変化させる移動装置３２を制御するカメラ制御部１８を備え、カメラ制御部１８が、利用者の操作入力に応じてカメラ３の位置と向きとの少なくとも一方を調節するように構成されている。したがって、利用者は、好みのアングルからの写真を撮ることができる。
【０１０８】
（８）この写真システムＡ１は、照明設備４を制御する照明制御部１７と、カメラ３の位置と向きとを変化させる移動装置３２を制御するカメラ制御部１８と、利用者の操作入力に応じて撮影スタイルを選択するスタイル選択部２９とを備えている。さらに、写真システムＡ１は、照明設備４の位置と向きと光量と光色との一つ以上を規定する照明パターンを、カメラ３の位置と向きとの少なくとも一方を規定するカメラパターンと組み合わせた撮影スタイルを予め複数記憶したスタイル記憶部２８を備えている。照明制御部１７は、スタイル選択部２９で選択される撮影スタイルの照明パターンに従って、照明設備４の位置と向きと光量と光色との少なくとも一つを調節するように構成されている。カメラ制御部１８は、スタイル選択部２９で選択される撮影スタイルのカメラパターンに従って、カメラ３の位置と向きとの少なくとも一方を調節するように構成されている。
【０１０９】
この構成によれば、利用者は、撮影スタイルを選択するだけで、簡単に様々な組み合わせの照明環境およびアングルで写真を撮影できる。したがって、撮影のための技術が不十分な利用者であっても、好みの撮影スタイルを選択することによって、プロのカメラマンが撮影したような写真を自身で撮影することが可能になる。
【０１１０】
（９）この写真システムＡ１は、時間を計時する時計部１２を備え、割当部１４は、時計部１２で計時される所定時間単位で撮影ブースを割り当てるように構成されている。これにより、割当部１４は、利用者データに対して撮影ブース１０３を割り当てる際、所定時間を単位とする時間制限を設けて撮影ブース１０３の割り当てを行うので、限られた数の撮影ブース１０３を極力多くの利用者に割り当てることができる。また、この構成によれば、撮影した写真の枚数に依らず撮影ブース１０３の利用時間によって撮影料が決まる課金方式を採用でき、利用者は、撮影枚数を気にすることなく撮影することができる。
【０１１１】
ところで、写真システムＡ１は、カメラ３の位置や向きを順次変えながら、複数毎の写真を連続的に撮影する自動撮影モードを有していてもよい。この自動撮影モードでは、店舗サーバ１は、撮影とカメラ３の移動とが交互に繰り返されるように、カメラ３で撮影される度に、カメラ制御部１８によりカメラ３を移動させる。パターン記憶部２７には、自動撮影モードでのカメラ３の移動パターンと撮影枚数とを組み合わせた撮影パターンが予め複数記憶されている。利用者が、利用者端末６を操作して自動撮影モードを選択し且つ任意の撮影パターンを選択すると、店舗サーバ１は、この撮影パターン（カメラ３の移動パターンおよび撮影枚数）に従って移動装置３２およびカメラ３を制御する。カメラ３が１箇所につき撮影する枚数は、１枚に限らず複数枚であってもよい。なお、パターン記憶部２７は、撮影パターンごとに撮影可能な見本写真を記憶しており、利用者端末６は、撮影パターンの選択時に見本写真を表示する。
【０１１２】
自動撮影モードでは、カメラ３の位置に合わせて照明環境も変わることが望ましい。そこで、店舗サーバ１は、照明設備４の位置と向きと光量と光色との一つ以上を規定する照明パターンを、撮影パターンに対応付けて予めパターン記憶部２７に記憶している。照明制御部１７は、選択された撮影パターンに対応付けられている照明パターンに従って、照明設備４の位置と向きと光量と光色との少なくとも一つを調節する。
【０１１３】
さらに、自動撮影モードでは、カメラ３の位置が次々に変わるので、最適な被写体の立ち位置も変化する。そこで、店舗サーバ１は、最適な立ち位置を利用者に知らせる機能を有することが望ましい。具体的には、店舗サーバ１は、レーザポインタ（図示せず）を制御して、撮影ブース１０３の床面における最適な被写体の立ち位置にレーザ光を照射することにより、最適な立ち位置を利用者に知らせることができる。レーザポインタの制御パターンは、撮影パターンに対応付けてパターン記憶部２７に予め記憶される。また、レーザポインタからのレーザ光の色が可変であれば、店舗サーバ１は、レーザ光の色によって、たとえば立位、座位などのポーズを指定することも可能である。
【０１１４】
また、上述のように店舗１００にて衣装の貸出サービスが行われる場合にあっては、写真システムＡ１は衣装の管理機能を備えていてもよい。具体的には、準備スペース１０２のハンガーラックは、衣装ごとにハンガーを吊るす位置が予め決められており、衣装ごとに貸出中か否かを管理する機能を持つ貸出装置（図示せず）を備えている。貸出装置は、タッチパネルディスプレイ（図示せず）と、各衣装に設けられているＩＣタグと非接触で通信を行うタグリーダ（図示せず）と、ハンガーごとに設けられている荷重センサ（図示せず）とを有している。
【０１１５】
貸出装置は、常時はハンガーにロックをかけることにより衣装を取り出せないようにしており、タッチパネルディスプレイにて正規の利用者ＩＤおよびパスワードが入力されると、その後の一定時間だけハンガーのロックを解除して衣装を貸出可能な状態とする。貸出装置は、衣装の貸し出しあるいは返却があったことを荷重センサで判断し、その際、タグリーダにてＩＣタグと通信することによって衣装の有無を確認する。貸出装置は、貸出中の衣装の写真をタッチパネルディスプレイに表示するように構成されている。そのため、他の利用者は、貸出装置の表示画面を見ることで、どのような衣装が貸出中であるかを知ることができる。
【０１１６】
さらに、貸出装置は、店舗内ネットワークに接続されており、衣装の貸し出しがある度に貸し出された衣装の情報を店舗サーバ１に送信し、衣装の返却がある度に返却された衣装の情報を店舗サーバ１に送信する。このとき、衣装が貸し出された場合には、貸出装置は、衣装を貸した利用者の利用者ＩＤ、つまりタッチパネルディスプレイで入力された利用者ＩＤを、貸し出された衣装の情報と共に送信する。店舗サーバ１は、タグリーダから受信した情報に基づいて、利用者ＩＤごとに貸出中の衣装を管理する。このように、管理サーバ１は、利用者ＩＤと貸出中の衣装とを対応付けて管理することにより、どの衣装がどの利用者に貸し出されているかを管理できるので、衣装の盗難防止を図ることができる。
【０１１７】
また、店舗サーバ１は、衣装が貸し出された時点から所定の許容時間の経過後を返却予定時刻に設定し、返却予定時刻の数分前（たとえば５分前）になると、この衣装を貸出中の利用者が持つ利用者端末６に報知信号を送信し、衣装の返却を促す通知を行わせる。これにより、利用者は衣装の返却が促されることになる。さらに、店舗サーバ１は、返却予定時刻を含む情報を貸出装置に送信して、貸出装置のタッチパネルディスプレイに返却予定時刻を表示させる。これにより、他の利用者は、貸出中の衣装の返却予定時刻を知ることができる。
【０１１８】
ここで、返却予定時刻を決める許容時間は、一律でなく衣装によって異なっていてもよい。たとえば、新作の衣装や人気のある衣装においては、許容時間が比較的短く設定されることにより、より多くの利用者へ貸し出されるようにすることが望ましい。
【０１１９】
なお、本実施形態では、上述したように店舗装置の機能を店舗サーバ１に集約させ、受付端末２、注文端末５、利用者端末６はユーザインタフェイスとしての機能に絞ったシンクライアントとして用いられている。ただし、この構成に限定する趣旨ではなく、店舗サーバ１の機能は、受付端末２、注文端末５、利用者端末６等に分散して備わっていてもよい。また、受付端末２、注文端末５、利用者端末６は写真システムＡ１に必須の構成ではなく、たとえば受付端末２および注文端末５が省略され、利用者端末６のみがユーザインタフェイスとして使用される構成であってもよい。
【符号の説明】
【０１２０】
１  店舗サーバ（店舗装置）
１２  時計部
１３  受付部
１４  割当部
１７  照明制御部
１８  カメラ制御部
２０  写真記憶部
２１  再生部
２２  選択部
２４  合成部
２５  背景選択部
２７  パターン記憶部
２８  スタイル記憶部
２９  スタイル選択部
２  受付端末（入力装置、表示装置）
３  カメラ
４  照明設備
５  注文端末（入力装置、表示装置）
６  利用者端末（入力装置、表示装置）
９１  センタサーバ（集約装置）
９１１  取得部
９１２  記憶装置
９３  印刷装置
１００  店舗
１０３，１０３Ａ，１０３Ｂ，１０３Ｃ  撮影ブース
Ａ１  写真システム
【図１】
2014145836.tif 000003
【図２】
2014145836.tif 000004